(57)【要約】【課題】ネットワーク側が、ＵＥの多重搬送波に対するサポート能力を認識することができ、そして、この認識に応じて、多重搬送波セルを利用してサービスを受信するかどうかを判定することができる技術を提供すること。【解決手段】本発明は、端末（ＵＥ）の多重搬送波に対するサポート能力の情報の伝送方法及び伝送システムを開示する。前記方法は、ＵＥが多重搬送波をサポートする場合、ＵＥがＵＥ自身の多重搬送波に対するサポート能力の情報を含むメッセージをＲＮＣに送信する。ＲＮＣは、ＵＥからのメッセージを解析し、ＵＥの多重搬送波に対するサポート能力の情報を取得する。【選択図】図１
2013517651.tif 000002
【特許請求の範囲】
【請求項１】
端末（ＵＥ：Ｕｓｅｒ  Ｅｑｕｉｐｍｅｎｔ）の多重搬送波に対するサポート能力の情報の伝送方法であって、
ＵＥが多重搬送波をサポートする場合、前記ＵＥが、前記ＵＥ自身の多重搬送波に対するサポート能力の情報を含むメッセージを送信する
ことを特徴とする伝送方法。
【請求項２】
前記ＵＥが、前記ＵＥ自身の多重搬送波に対するサポート能力の情報を含むメッセージを送信するステップは、
無線リソース制御接続要求（Ｒａｄｉｏ  Ｒｅｓｏｕｒｃｅ  Ｃｏｎｔｒｏｌ（ＲＲＣ）  Ｃｏｎｎｅｃｔｉｏｎ  Ｒｅｑｕｅｓｔ）メッセージに、ＵＥの多重搬送波に対するサポート能力の指標情報要素を新規に設定し、
前記ＵＥが多重搬送波をサポートする場合、前記指標情報要素を含むＲＲＣ  Ｃｏｎｎｅｃｔｉｏｎ  Ｒｅｑｕｅｓｔメッセージを送信する
ことを特徴とする請求項１に記載の伝送方法。
【請求項３】
前記ＵＥが、前記ＵＥ自身の多重搬送波に対するサポート能力の情報を含むメッセージを送信するステップは、
Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
前記ＵＥが多重搬送波をサポートする場合、前記拡張された情報要素を含むＲＲＣ  Ｃｏｎｎｅｃｔｉｏｎ  Ｒｅｑｕｅｓｔメッセージを送信する
ことを特徴とする請求項１に記載の伝送方法。
【請求項４】
前記ＵＥが、前記ＵＥ自身の多重搬送波に対するサポート能力の情報を含むメッセージを送信するステップは、
高速ダウンリンク共有チャネル物理層カテゴリ（Ｈｉｇｈ  Ｓｐｅｅｄ‐Ｄｏｗｎｌｉｎｋ  Ｓｈａｒｅｄ  ＣＨａｎｎｅｌ（ＨＳ−ＤＳＣＨ）  ｐｈｙｓｉｃａｌ  ｌａｙｅｒ  ｃａｔｅｇｏｒｙ）のレベルを拡張して、ＵＥの多重搬送波に対するサポート能力のレベルを追加し、
前記ＵＥが多重搬送波をサポートする場合、前記拡張されたＨＳ−ＤＳＣＨ  ｐｈｙｓｉｃａｌ  ｌａｙｅｒ  ｃａｔｅｇｏｒｙを含む無線リソース制御接続確立完了（ＲＲＣ  Ｃｏｎｎｅｃｔｉｏｎ  Ｓｅｔｕｐ  Ｃｏｍｐｌｅｔｅ）メッセージ又はＵＥ能力情報（ＵＥ  Ｃａｐａｂｉｌｉｔｙ  Ｉｎｆｏｒｍａｔｉｏｎ）メッセージを送信する
ことを特徴とする請求項１に記載の伝送方法。
【請求項５】
前記ＵＥが、前記ＵＥ自身の多重搬送波に対するサポート能力の情報を含むメッセージを送信するステップは、
アクセス層リリースインジケーター（Ａｃｃｅｓｓ  ｓｔｒａｔｕｍ  ｒｅｌｅａｓｅ  ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
前記ＵＥが多重搬送波をサポートする場合、前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  Ｒｅｑｕｅｓｔメッセージを送信する
ことを特徴とする請求項１に記載の伝送方法。
【請求項６】
前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  Ｒｅｑｕｅｓｔメッセージを送信するステップは、
前記Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク二重搬送波に対するサポート能力を持つことを示し、
前記Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
ことを特徴とする請求項５に記載の伝送方法。
【請求項７】
端末（ＵＥ：Ｕｓｅｒ  Ｅｑｕｉｐｍｅｎｔ）の多重搬送波に対するサポート能力の情報の取得方法であって、
無線ネットワーク制御装置（ＲＮＣ：Ｒａｄｉｏ  Ｎｅｔｗｏｒｋ  Ｃｏｎｔｒｏｌｌｅｒ）が、ＵＥから受信された、前記ＵＥの多重搬送波に対するサポート能力の情報を含むメッセージを解析し、
前記ＵＥの多重搬送波に対するサポート能力の情報を取得する
ことを特徴とする取得方法。
【請求項８】
前記ＲＮＣがＵＥの多重搬送波に対するサポート能力の情報を取得した後、さらに、前記ＲＮＣが、多重搬送波セルを利用してサービスを受信することを決定し、
前記ＲＮＣが、多重搬送波セルを利用してサービスを受信することを決定するステップは、
前記ＲＮＣが、ノードＢ（ＮｏｄｅＢ）に送信される無線リンク確立要求メッセージ又は無線リンク再構成要求メッセージに含められる補助搬送波セル情報を生成し、
ＵＥに送信される無線ベアラ確立メッセージ又は無線ベアラ再構成メッセージに含められる補助搬送波セル情報を生成する
ことを特徴とする請求項７に記載の取得方法。
【請求項９】
前記ＲＮＣは、サービスのサービス品質（ＱｏＳ：Ｑｕａｌｉｔｙ  ｏｆ  Ｓｅｒｖｉｃｅ）属性、ＵＥの多重搬送波に対するサポート能力及びセル能力に応じて、多重搬送波セルを利用してサービスを受信することを決定する
ことを特徴とする請求項８に記載の取得方法。
【請求項１０】
端末（ＵＥ：Ｕｓｅｒ  Ｅｑｕｉｐｍｅｎｔ）であって、
ＵＥが多重搬送波をサポートする場合、前記ＵＥ自身の多重搬送波に対するサポート能力の情報を含むメッセージを送信する
ことを特徴とするＵＥ。
【請求項１１】
前記ＵＥは、さらに、
無線リソース制御接続要求（Ｒａｄｉｏ  Ｒｅｓｏｕｒｃｅ  Ｃｏｎｔｒｏｌ（ＲＲＣ）  Ｃｏｎｎｅｃｔｉｏｎ  Ｒｅｑｕｅｓｔ）メッセージに、ＵＥの多重搬送波に対するサポート能力の指標情報要素を新規に設定し、
前記ＵＥが多重搬送波をサポートする場合、前記指標情報要素を含むＲＲＣ  Ｃｏｎｎｅｃｔｉｏｎ  Ｒｅｑｕｅｓｔメッセージを送信する
ことを特徴とする請求項１０に記載のＵＥ。
【請求項１２】
前記ＵＥは、さらに、
Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
前記ＵＥが多重搬送波をサポートする場合、前記拡張された情報要素を含むＲＲＣ  Ｃｏｎｎｅｃｔｉｏｎ  Ｒｅｑｕｅｓｔメッセージを送信する
ことを特徴とする請求項１０に記載のＵＥ。
【請求項１３】
前記ＵＥは、さらに、
高速ダウンリンク共有チャネル物理層カテゴリ（Ｈｉｇｈ  Ｓｐｅｅｄ‐Ｄｏｗｎｌｉｎｋ  Ｓｈａｒｅｄ  ＣＨａｎｎｅｌ（ＨＳ−ＤＳＣＨ）  ｐｈｙｓｉｃａｌ  ｌａｙｅｒ  ｃａｔｅｇｏｒｙ）のレベルを拡張して、ＵＥの多重搬送波に対するサポート能力のレベルを追加し、
前記ＵＥが多重搬送波をサポートする場合、前記拡張されたＨＳ−ＤＳＣＨ  ｐｈｙｓｉｃａｌ  ｌａｙｅｒ  ｃａｔｅｇｏｒｙを含む無線リソース制御接続確立完了（ＲＲＣ  Ｃｏｎｎｅｃｔｉｏｎ  Ｓｅｔｕｐ  Ｃｏｍｐｌｅｔｅ）メッセージ又はＵＥ能力情報（ＵＥ  Ｃａｐａｂｉｌｉｔｙ  Ｉｎｆｏｒｍａｔｉｏｎ）メッセージを送信する
ことを特徴とする請求項１０に記載のＵＥ。
【請求項１４】
前記ＵＥは、さらに、
アクセス層リリースインジケーター（Ａｃｃｅｓｓ  ｓｔｒａｔｕｍ  ｒｅｌｅａｓｅ  ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
前記ＵＥが多重搬送波をサポートする場合、前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  Ｒｅｑｕｅｓｔメッセージを送信する
ことを特徴とする請求項１０に記載のＵＥ。
【請求項１５】
前記Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  Ｒｅｑｕｅｓｔメッセージに、Ｒ８プロトコルにおけるＵＥの二重搬送波に対するサポート能力の情報要素が含まれる場合、前記ＵＥがダウンリンク二重搬送波に対するサポート能力を持つことを示し、
前記Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい
ことを特徴とする請求項１４に記載のＵＥ。
【請求項１６】
無線ネットワーク制御装置（ＲＮＣ：Ｒａｄｉｏ  Ｎｅｔｗｏｒｋ  Ｃｏｎｔｒｏｌｌｅｒ）であって、
ＵＥから受信された、前記ＵＥの多重搬送波に対するサポート能力の情報を含むメッセージを解析し、
前記ＵＥの多重搬送波に対するサポート能力の情報を取得する
ことを特徴とする無線ネットワーク制御装置。
【請求項１７】
前記ＲＮＣは、さらに、ＵＥの多重搬送波に対するサポート能力を取得した後、多重搬送波セルを利用してサービスを受信することを決定し、
前記ＲＮＣが、ＮｏｄｅＢに送信される無線リンク確立要求メッセージ又は無線リンク再構成要求メッセージに補助搬送波セル情報を含ませ、且つＵＥに送信される無線ベアラ確立メッセージ又は無線ベアラ再構成メッセージに補助搬送波セル情報を含ませる
ことを特徴とする請求項１６に記載のＲＮＣ。
【請求項１８】
前記ＲＮＣは、さらに、
サービスのサービス品質（ＱｏＳ：Ｑｕａｌｉｔｙ  ｏｆ  Ｓｅｒｖｉｃｅ）属性、ＵＥの多重搬送波に対するサポート能力及びセル能力に応じて、多重搬送波セルを利用してサービスを受信することを決定する
ことを特徴とする請求項１７に記載のＲＮＣ。
【発明の詳細な説明】
【技術分野】
【０００１】
本発明は、ネットワーク通信における多重搬送波技術に関し、特に、ＵＥの多重搬送波に対するサポート能力の情報の伝送方法及び伝送システムに関する。
【背景技術】
【０００２】
高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）リリース５（Ｒｅｌｅａｓｅ−５）で提案された技術であり、ダウンリンク方向、即ちネットワーク側から端末へ向かう方向のネットワークデータスループットを向上させることに用いられる。この技術で設計されたダウンリンクピーク速度は、１４．４Ｍｂｐｓに達する場合がある。
【０００３】
物理層の設計において、ＨＳＤＰＡでは、ダウンリンク方向で高速物理ダウンリンク共有チャネル（ＨＳ−ＰＤＳＣＨ：Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）が用いられて、高速ダウンリンク共有チャネル（ＨＳ−ＤＳＣＨ：Ｈｉｇｈ  Ｓｐｅｅｄ−Ｄｏｗｎｌｉｎｋ  Ｓｈａｒｅｄ  Ｃｈａｎｎｅｌ）のデータが搬送される。また、ダウンリンク方向では、対応するＨＳ−ＰＤＳＣＨの送信前に送信される高速共有制御チャネル（ＨＳ−ＳＣＣＨ：Ｈｉｇｈ  Ｓｐｅｅｄ−Ｓｈａｒｅｄ  Ｃｏｎｔｒｏｌ  Ｃｈａｎｎｅｌ）も用いられる。このＨＳ−ＳＣＣＨは、例えば、スペクトル拡散コード、変調方法、伝送ブロックのサイズ、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）プロセス、冗長バージョン、新データインジケータ、ＵＥ識別子等の、ＨＳ−ＳＣＣＨの後に送信されるＨＳ−ＰＤＳＣＨについての幾つかの必要な情報を端末（ＵＥ）に通知することに用いられる。これにより、ＵＥ識別子によって指定されたＵＥは、ＨＳ−ＰＤＳＣＨにより送信されたデータを正確に受信することができる。一方で、他のＵＥは、ＨＳ−ＰＤＳＣＨにより送信されたデータを正確に受信することができない。
【０００４】
アップリンク方向において、ＨＳＤＰＡでは、ＨＳ−ＤＳＣＨのための専用の物理制御チャネル、即ち高速専用物理制御チャネル（ＨＳ−ＤＰＣＣＨ、Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）が用いられる。ＨＳ−ＤＰＣＣＨを介して、ＵＥは、ＨＳ−ＤＳＣＨにおける伝送ブロックを正確に受信したかどうかをネットワーク側にフィードバックする。フィードバックにおいて、ＡＣＫは、正確な受信を意味し、一方で、ＮＡＣＫは、不正確な受信を意味する。対応するデータを再送する必要がある場合、ネットワーク側は、これに応じて、再送を実行するか、又は新たなデータを送信する。また、ＵＥは、更にチャネル品質インジケータ（ＣＱＩ：Ｃｈａｎｎｅｌ  Ｑｕａｌｉｔｙ  Ｉｎｄｉｃａｔｏｒ）表をフィードバックする。ＣＱＩ表は、予め定義されたものであり、各ＣＱＩの値は、伝送ブロックのサイズ、ＨＳ−ＰＤＳＣＨの数、変調方法を固定するためのＨＳ−ＤＳＣＨサブフレームに対応する。ＵＥは、最大のＣＱＩをフィードバックする必要がある。この最大のＣＱＩに対応するＨＳ−ＤＳＣＨサブフレームが、ＣＱＩを含むＨＳ−ＤＰＣＣＨサブフレームの伝送開始前の１つのタイムスロットで当該ＵＥによって受信された場合、対応する伝送ブロックのエラー率が１０％未満であることを示す。これが当該ＵＥ無線チャネル品質の参照とされる。
【０００５】
ＨＳ−ＤＰＣＣＨの設計において、１０ビットデータがＨＡＲＱ−ＡＣＫ情報を搬送することに用いられ、また２０ビットデータがＣＱＩ情報を搬送することに用いられる。各ＵＥは、それぞれの異なる能力に応じて、ある特定のカテゴリ（ＵＥ  Ｃａｔｅｇｏｒｙ）に属している。ＵＥカテゴリに対応するＣＱＩ表は、３１項目を有している。この３１項目は、５ビットデータで示され、２０ビットで符号化され、ＨＳ−ＤＰＣＣＨのＣＱＩビットフィールドにマッピングされる。フィールドＨＡＲＱにはＡＣＫ／ＮＡＣＫという２種類の情況が存在し、これらは、それぞれ、データブロックを正確に受信したこと及び受信したデータブロックにエラーが存在することを示す。ＡＣＫ／ＮＡＣＫは、特定のコードブックを介して１０ビットに符号化され、その後、ＨＳ−ＤＰＣＣＨのＨＡＲＱ−ＡＣＫビットフィールドにマッピングされる。
【０００６】
後に、３ＧＰＰは、ＨＳＤＰＡに基づいて、複数の側面から強化を行った。マルチ入力マルチ出力（ＭＩＭＯ：Ｍｕｌｔｉｐｌｅ−Ｉｎｐｕｔ  Ｍｕｌｔｉｐｌｅ−Ｏｕｔｐｕｔ）アンテナ技術は、無線チャネルの伝送帯域幅を広げる方法の一つである。３ＧＰＰによりＲｅｌ−７においてＭＩＭＯ技術が採用され、２ｍｓの伝送時間間隔（ＴＴＩ：Ｔｒａｎｓｍｉｓｓｉｏｎ  Ｔｉｍｅ  Ｉｎｔｅｒｖａｌ）内において、最大で２つの伝送ブロック（主伝送ブロック及び補助伝送ブロック）を同一のＵＥに同時に伝送することが許容された。ＭＩＭＯ技術をサポートするために、送信側は、データを変調して、２本のインコヒーレントなアンテナから同時にデータを送信する必要があり、受信側は、２本のインコヒーレントなアンテナからデータを同時に受信して、データの復調を行う必要がある。ＨＳＤＰＡと共通する点は、ＵＥがＨＳ−ＤＳＣＨデータを受信した後、同様にＨＡＲＱ−ＡＣＫとＣＱＩをフィードバックする必要がある点である。一方で、ＨＳＤＰＡと異なる点は、ＵＥが同時に受信された２つのＨＳ−ＤＳＣＨ伝送ブロックに対してそれぞれＨＡＲＱ−ＡＣＫをフィードバックする必要がある点と、ＣＱＩがＣＱＩ１とＣＱＩ２で示される２つの空間分割チャネルに対応する点である。さらに、伝送ブロックのサイズを最大化するために、ＵＥが閉ループＭＩＭＯによって要求されたアンテナアレイ重み値、即ちプリコーディグ重み値をフィードバックする必要もある。プリコーディグ重み値には、ｗ１、ｗ２、ｗ３及びｗ４という４つのプリコーディグ重み値が存在する。（ｗ１、ｗ２）は、主伝送ブロックのデータに重みを付けるための主プリコーディングベクトルを構成する。（ｗ３、ｗ４）は、補助伝送ブロックのデータに重みを付けるための補助プリコーディングベクトルを構成する。主プリコーディングベクトルは、主伝送ブロックを伝送することに用いられ、補助プリコーディングベクトルは、補助伝送ブロックを伝送することに用いられる。４つのプリコーディグ重み値では、ｗ１とｗ３は固定値であり、ｗ２とｗ４は固定的なシンボル関係を有している。それ故、ＵＥは、プリコーディグ重み値ｗ２のみをフィードバックする必要があり、これがプリコーディング制御インジケータ（ＰＣＩ：Ｐｒｅｃｏｄｉｎｇ  Ｃｏｎｔｒｏｌ  Ｉｎｄｉｃａｔｏｒ）によって実現される。ｗ２は４つの数値のうちの１つであってもよく、このため、ＰＣＩは２ビットデータである。ＭＩＭＯの場合、新たなＣＱＩ表が用いられ、各特定のＵＥカテゴリに対応するＣＱＩ表は、４ビットデータで表される１５項目を含む。従って、ＣＱＩ１及びＣＱＩ２は、全体で８ビットを要する。従って、ＰＣＩ及びＣＱＩは、合計で１０ビットのデータであり、２０ビットに符号化されて、ＨＳ−ＤＰＣＣＨのＣＱＩ／ＰＣＩビットフィールドフィールド（即ち元のＣＱＩビットフィールド）にマッピングされる。ＨＡＲＱでは、単流と双流の場合におけるＡＣＫ／ＮＡＣＫの６種類の情況についての組み合わせを考える必要があり、ＡＣＫ／ＮＡＣＫは、特定のコードブックを介して１０ビットに符号化され、ＨＳ−ＤＰＣＣＨのＨＡＲＱ−ＡＣＫビットフィールドフィールドにマッピングされる。
【０００７】
ＭＩＭＯ技術は、送信側と受信側の両方のアンテナ数を増加することで帯域幅を広げている。ＭＩＭＯ技術を用いなければ、搬送波を増加する方法により帯域幅を広げることも可能である。ダウンリンク帯域幅を更に広げるために、３ＧＰＰにより、Ｒｅｌ−８において二重搬送波ＨＳＤＰＡ技術（ＤＣ−ＨＳＤＰＡ）が導入され、２つの隣接する搬送波（主搬送波と補助搬送波）を利用してダウンリンク帯域幅が広げられた。主搬送波と補助搬送波は、共にＨＳ−ＰＤＳＣＨとＨＳ−ＳＣＣＨにそれぞれ設定され、また、主搬送波と補助搬送波は、独立にスケジューリングされる。ＤＣ−ＨＳＤＰＡを受信する能力を持つＵＥは、主搬送波と補助搬送波との両方でＨＳＤＰＡデータを受信することができる。単一搬送波ＨＳＤＰＡと共通する点は、ＵＥがＨＳ−ＤＳＣＨデータを受信した後、ＨＡＲＱ−ＡＣＫとＣＱＩをフィードバックする必要がある点である。一方で、単一搬送波ＨＳＤＰＡと異なる点は、ＵＥが、２つの搬送波で同時に受信された２つのＨＳ−ＤＳＣＨ伝送ブロックに対してそれぞれＨＡＲＱ−ＡＣＫをフィードバックする必要があり点と、ＣＱＩがＣＱＩ１とＣＱＩ２で示される２つの搬送波に対応している点である。各ＣＱＩに対応するＣＱＩ表は、５ビットデータで表される３１項目であり、ＣＱＩ１とＣＱＩ２は、全体で１０ビットデータであり、２０ビットデータに符号化されて、ＨＳ−ＤＰＣＣＨのＣＱＩビットフィールドフィールドにマッピングされる。ＨＡＲＱに対して、単一搬送波と多重搬送波の場合におけるＡＣＫ／ＮＡＣＫの８種類の情況についての組み合わせを考える必要があり、ＡＣＫ／ＮＡＣＫは、特定のコードブックを介して１０ビットに符号化され、ＨＳ−ＤＰＣＣＨのＨＡＲＱ−ＡＣＫビットフィールドフィールドにマッピングされる。
【０００８】
ダウンリンク帯域幅を更に広げるために、３ＧＰＰにより、Ｒｅｌ−９において、ＤＣ−ＨＳＤＰＡとＭＩＭＯが組み合わせられた。ＨＳ−ＤＰＣＣＨの設計において、性能と電力消費から考えると、依然として情報をフィードバックするための１本のＨＳ−ＤＰＣＣＨチャネルを必要とする。ＨＡＲＱでは、主搬送波、補助搬送波、単流及び多流の場合のＡＣＫ／ＮＡＣＫの４８種類の情況についての組み合わせを考える必要がある。ＡＣＫ／ＮＡＣＫは、特定のコードブックを介して１０ビットに符号化されて、ＨＳ−ＤＰＣＣＨのＨＡＲＱ−ＡＣＫビットフィールドにマッピングされる。ＰＣＩは、主搬送波と補助搬送波に対してそれぞれフィードバックを行う必要がある。ＰＣＩは、ＰＣＩ１、ＰＣＩ２として表され、これらは合計で４ビットデータである。ＣＱＩは、Ｒｅｌ−７のＭＩＭＯ  ＣＱＩ表で定義される。ＣＱＩ１／ＣＱＩ２は、各搬送波に存在し、これらは、８ビットデータである。従って、主搬送波と補助搬送波に存在するＣＱＩ１及びＣＱＩ２は、合計で１６ビットデータである。又は、主搬送波のＣＱＩ／ＰＣＩが１０ビットデータであり、補助搬送波のＣＱＩ／ＰＣＩも１０ビットデータである。ＨＳ−ＤＰＣＣＨ伝送では、主搬送波のＣＱＩ／ＰＣＩは、合計で１０ビットデータであり、２０ビットに符号化されて、ＨＳ−ＤＰＣＣＨにおける連続する２つのサブフレームのうちの１つのＣＱＩ／ＰＣＩビットフィールドにマッピングされる。補助搬送波のＣＱＩ／ＰＣＩは、合計で１０ビットデータであり、２０ビットに符号化され、ＨＳ−ＤＰＣＣＨにおける連続する２つのサブフレームのうちの１つのＣＱＩ／ＰＣＩビットフィールドにマッピングされる。つまり、主搬送波と補助搬送波のＣＱＩ／ＰＣＩデータは、時分割多重の方式によりＨＳ−ＤＰＣＣＨで伝送される。
【０００９】
ユーザのピーク速度を更に上げるために、より多くの搬送波を組み合わせて伝送する必要がある。例えば、２０  ＭＨｚの帯域幅でＭＩＭＯデータ伝送を行う場合、各搬送波がＨＳＤＰＡ及びＭＩＭＯをサポートすることができる４つの搬送波（以下、４Ｃと略称）を組み合わせる必要がある。各搬送波をフィードバックする必要があるＨＡＲＱ情報は、Ａ／Ｎ／Ｄ／ＡＡ／ＡＮ／ＮＡ／ＮＮの７種類のうちの１つである。既存のＨＡＲＱフィードバック情報伝送方法では、４つの搬送波の場合に考える必要がある組み合わせの数は、７×７×７×７−１＝２４００となる。一方で、ＨＡＲＱフィードバック情報を搬送するデータフィールドは１０ビットであり、最大で１０２４種類の情報をフィードバックすることが可能とされている。従って、ＨＡＲＱ情報のフィードバックに対する要求が、既に１０ビットデータフィールドの搬送能力をはるかに超えてしまっている。これにより、ＨＳＤＰＡがＭＩＭＯと組み合わされた４つの搬送波の場合において、ＨＡＲＱ情報の伝送に対する要求を満たすことができる新たなＨＡＲＱ情報伝送方法が必要とされている。また、ＵＥの機能も改善する必要がある。Ｒ８プロトコルにおいて、二重搬送波が導入されたときに、ＵＥの二重搬送波に対するサポート能力が導入されたが、４つの搬送波をサポートする状況では、ＵＥの二重搬送波に対するサポート能力は、ＵＥの具体的な多重搬送波に対するサポート能力を発揮することができない。ネットワーク側は、ＵＥの多重搬送波に対するサポート能力を正確に認識することができず、リソースを合理的に割り当てることができない。
【発明の概要】
【発明が解決しようとする課題】
【００１０】
以上に鑑みて、本発明の主な目的は、ネットワーク側がＵＥの多重搬送波に対するサポート能力を認識することができ、そして、この認識に基づいて、ネットワーク側が多重搬送波セルを利用してサービスを受信するかどうかを決定し、これにより、リソースの合理的な割り当てを実現することができる、ＵＥの多重搬送波に対するサポート能力の情報の伝送方法及び伝送システムを提供することにある。
【課題を解決するための手段】
【００１１】
上記目的を達成するために、本発明の技術解決法は以下のように実現される。
【００１２】
本発明に係るＵＥの多重搬送波に対するサポート能力の伝送方法は、
ＵＥが多重搬送波をサポートする場合に、前記ＵＥが、前記ＵＥ自身の多重搬送波に対するサポート能力の情報を含むメッセージを無線ネットワーク装置（ＲＮＣ：Ｒａｄｉｏ  Ｒｅｓｏｕｒｃｅ  Ｃｏｎｔｒｏｌ）に送信し、
前記ＲＮＣが、ＵＥからのメッセージを解析し、前記ＵＥの多重搬送波に対するサポート能力の情報を取得する。
【００１３】
前記ＵＥが、前記ＵＥ自身の多重搬送波に対するサポート能力の情報を含むメッセージをＲＮＣに送信するステップは、
無線リソース制御接続要求（ＲＲＣ  Ｃｏｎｎｅｃｔｉｏｎ  Ｒｅｑｕｅｓｔ）メッセージに、ＵＥの多重搬送波に対するサポート能力の指標情報要素を新規に設定し、
前記ＵＥが多重搬送波をサポートする場合、前記指標情報要素を含むＲＲＣ  Ｃｏｎｎｅｃｔｉｏｎ  Ｒｅｑｕｅｓｔメッセージを前記ＲＮＣに送信する。
【００１４】
前記ＵＥが、前記ＵＥ自身の多重搬送波に対するサポート能力の情報を含むメッセージをＲＮＣに送信するステップは、
Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
前記ＵＥが多重搬送波をサポートする場合、前記拡張された情報要素を含むＲＲＣ  Ｃｏｎｎｅｃｔｉｏｎ  ＲｅｑｕｅｓｔメッセージをＲＮＣに送信する。
【００１５】
前記ＵＥが、前記ＵＥ自身の多重搬送波に対するサポート能力の情報を含むメッセージをＲＮＣに送信するステップは、
高速ダウンリンク共有チャネル物理層カテゴリ（Ｈｉｇｈ  Ｓｐｅｅｄ‐Ｄｏｗｎｌｉｎｋ  Ｓｈａｒｅｄ  ＣＨａｎｎｅｌ（ＨＳ−ＤＳＣＨ）  ｐｈｙｓｉｃａｌ  ｌａｙｅｒ  ｃａｔｅｇｏｒｙ）のレベルを拡張して、ＵＥの多重搬送波に対するサポート能力のレベルを追加し、
前記ＵＥが多重搬送波をサポートする場合、前記拡張されたＨＳ−ＤＳＣＨ  ｐｈｙｓｉｃａｌ  ｌａｙｅｒ  ｃａｔｅｇｏｒｙを含む無線リソース制御接続確立完了（ＲＲＣ  Ｃｏｎｎｅｃｔｉｏｎ  Ｓｅｔｕｐ  Ｃｏｍｐｌｅｔｅ）メッセージ又はＵＥ能力情報（ＵＥ  Ｃａｐａｂｉｌｉｔｙ  Ｉｎｆｏｒｍａｔｉｏｎ）メッセージをＲＮＣに送信する。
【００１６】
前記ＵＥが、前記ＵＥ自身の多重搬送波に対するサポート能力の情報を含むメッセージをＲＮＣに送信するステップは、
アクセス層リリースインジケーター（Ａｃｃｅｓｓ  ｓｔｒａｔｕｍ  ｒｅｌｅａｓｅ  ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示し、
前記ＵＥが多重搬送波をサポートする場合、前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  ＲｅｑｕｅｓｔメッセージをＲＮＣに送信する。
【００１７】
前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  ＲｅｑｕｅｓｔメッセージをＲＮＣに送信するステップは、
前記Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク二重搬送波に対するサポート能力を持つことを示し、
前記Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい。
【００１８】
前記ＲＮＣがＵＥの多重搬送波に対するサポート能力の情報を取得した後、当該方法は、
さらに、前記ＲＮＣが、多重搬送波セルを利用してサービスを受信することを決定し、
前記ＲＮＣが、多重搬送波セルを利用してサービスを受信することを決定するステップは、
前記ＲＮＣが、ノードＢ（ＮｏｄｅＢ）に送信される無線リンク確立要求メッセージ又は無線リンク再構成要求メッセージに含められる補助搬送波セル情報を生成し、
ＵＥに送信される無線ベアラ確立メッセージ又は無線ベアラ再構成メッセージに含められる補助搬送波セル情報を生成する。
【００１９】
前記ＲＮＣは、サービスのサービス品質（ＱｏＳ：Ｑｕａｌｉｔｙ  ｏｆ  Ｓｅｒｖｉｃｅ）属性、ＵＥの多重搬送波に対するサポート能力及びセル能力に応じて、多重搬送波セルを利用してサービスを受信することを決定する。
【００２０】
本発明に係るＵＥの多重搬送波に対するサポート能力の情報の伝送システムは、
ＵＥが多重搬送波をサポートする場合に、ＵＥ自身の多重搬送波に対するサポート能力の情報を含むメッセージを前記ＲＮＣに送信するＵＥと、
ＵＥからのメッセージを解析し、前記ＵＥの多重搬送波に対するサポート能力の情報を取得するＲＮＣとを含む。
【００２１】
前記ＵＥは、さらに、
ＲＲＣ  Ｃｏｎｎｅｃｔｉｏｎ  Ｒｅｑｕｅｓｔメッセージに、ＵＥの多重搬送波に対するサポート能力の指標情報要素を新規に設定し、
前記ＵＥが多重搬送波をサポートする場合に、前記指標情報要素を含むＲＲＣ  Ｃｏｎｎｅｃｔｉｏｎ  Ｒｅｑｕｅｓｔメッセージを前記ＲＮＣに送信する。
【００２２】
前記ＵＥは、さらに、
Ｒ８プロトコルにおけるＵＥの二重搬送波に対するサポート能力の情報要素の値を拡張し、拡張後の値は、ＵＥによってサポートされる多重搬送波の数についての能力を示すことに用いられ、
前記ＵＥが多重搬送波をサポートする場合に、前記拡張された情報要素を含むＲＲＣ  Ｃｏｎｎｅｃｔｉｏｎ  ＲｅｑｕｅｓｔメッセージをＲＮＣに送信する。
【００２３】
前記ＵＥは、さらに、
ＨＳ−ＤＳＣＨ  ｐｈｙｓｉｃａｌ  ｌａｙｅｒ  ｃａｔｅｇｏｒｙのレベルを拡張して、ＵＥの多重搬送波に対するサポート能力のレベルを追加し、
前記ＵＥが多重搬送波をサポートする場合に、前記拡張されたＨＳ−ＤＳＣＨ  ｐｈｙｓｉｃａｌ  ｌａｙｅｒ  ｃａｔｅｇｏｒｙを含むＲＲＣ  Ｃｏｎｎｅｃｔｉｏｎ  Ｓｅｔｕｐ  Ｃｏｍｐｌｅｔｅメッセージ又はＵＥ  Ｃａｐａｂｉｌｉｔｙ  ＩｎｆｏｒｍａｔｉｏｎメッセージをＲＮＣに送信する。
【００２４】
前記ＵＥは、さらに、
Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを用いて、ＵＥの多重搬送波に対するサポート能力を示し、
前記ＵＥが多重搬送波をサポートする場合に、前記Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  ＲｅｑｕｅｓｔメッセージをＲＮＣに送信する。
【００２５】
前記Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  Ｒｅｑｕｅｓｔメッセージに、Ｒ８プロトコルにおけるＵＥの二重搬送波に対するサポート能力の情報要素が含まれる場合、前記ＵＥがダウンリンク二重搬送波に対するサポート能力を持つことを示し、
前記Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示し、前記ダウンリンク多重搬送波の数は２より大きい。
【００２６】
前記ＲＮＣは、ＵＥの多重搬送波に対するサポート能力の情報を取得した後、多重搬送波セルを利用してサービスを受信することを決定し、
前記ＲＮＣが、ＮｏｄｅＢに送信される無線リンク確立要求メッセージ又は無線リンク再構成要求メッセージに補助搬送波セル情報を含ませ、且つＵＥに送信される無線ベアラ確立メッセージ又は無線ベアラ再構成メッセージに補助搬送波セル情報を含ませる。
【００２７】
前記ＲＮＣは、さらに、
サービスのＱｏＳ属性、ＵＥの多重搬送波に対するサポート能力及びセル能力に応じて、多重搬送波セルを利用してサービスを受信することを決定する。
【００２８】
本発明に係るＵＥの多重搬送波に対するサポート能力の情報の伝送方法及び伝送システムにおいて、ＵＥが多重搬送波をサポートする場合に、ＵＥは、ＵＥ自身の多重搬送波に対するサポート能力の情報を含むメッセージをＲＮＣに送信し、ＲＮＣは、ＵＥからのメッセージを解析し、ＵＥの多重搬送波に対するサポート能力の情報を取得する。本発明によれば、ネットワーク側が、ＵＥの多重搬送波に対するサポート能力を認識することができ、そして、この認識に基づいて、多重搬送波セルを利用してサービスを受信するかどうかを決定する。これにより、リソースの合理的な割り当てが実現される。
【図面の簡単な説明】
【００２９】
【図１】本発明の第１実施形態に係る、ＵＥの多重搬送波に対するサポート能力の伝送方法を示すフローチャートである。
【図２】本発明の第２実施形態係る、ＵＥの多重搬送波に対するサポート能力の伝送方法を示すフローチャートである。
【図３】本発明の第３実施形態係る、ＵＥの多重搬送波に対するサポート能力の伝送方法を示すフローチャートである。
【図４】本発明の第４実施形態係る、ＵＥの多重搬送波に対するサポート能力の伝送方法を示すフローチャートである。
【図５】本発明の第５実施形態５係る、ＵＥの多重搬送波に対するサポート能力の伝送方法を示すフローチャートである。
【図６】本発明の実施形態係る、ＵＥの多重搬送波に対するサポート能力に応じてＲＮＣが多重搬送波セルを利用してサービスを受信することを決定するときのフローチャートである。
【発明を実施するための形態】
【００３０】
以下、図面及び具体的な実施形態を参照しながら、本発明の技術的解決法を更に詳しく説明する。
【００３１】
ネットワーク側がＵＥの多重搬送波に対するサポート能力を認識することができ、そして、この認識に基づいて、多重搬送波セルを利用してサービスを受信するかどうかを決定して、リソースを合理的に割り当てることができるようにするために、本発明は、ＵＥの多重搬送波に対するサポート能力の情報の伝送方法を提供する。本発明の基本的な着想は、以下の様なものである。すなわち、ＵＥが多重搬送波をサポートする場合、ＵＥは、ＵＥ自身の多重搬送波に対するサポート能力の情報を含む、無線ネットワーク制御装置（ＲＮＣ：Ｒａｄｉｏ  Ｎｅｔｗｏｒｋ  Ｃｏｎｔｒｏｌｌｅｒ）とのインタラクションメッセージをＲＮＣに送信する。ＲＮＣは、ＵＥからのインタラクションメッセージを解析し、ＵＥの多重搬送波に対するサポート能力の情報を取得する。ＲＮＣとＵＥがＵｕインターフェイスを介してメッセージインタラクションを行うため、ＲＮＣとＵＥとの間のインタラクションメッセージは、Ｕｕインターフェイスメッセージとも称される。ＵＥの多重搬送波に対するサポート能力は、多重搬送波が導入された後のＵＥによる物理層の発展をサポートすることにある。例えば、ＵＥは、主搬送波セル及び複数の補助搬送波セルのＨＳ−ＰＤＳＣＨ情報を復調したり、ＨＳ−ＰＤＳＣＨにおいてＨＡＲＱ情報をフィードバックしたりすることができる。
【００３２】
ここで、ＵＥの多重搬送波に対するサポート能力の情報は、以下に示す幾つかの方法によって送信されるが、本発明は、これらの方法に限定されない。
【００３３】
１、無線リソース制御接続要求（ＲＲＣ  Ｃｏｎｎｅｃｔｉｏｎ  Ｒｅｑｕｅｓｔ）メッセージに、ＵＥの多重搬送波に対するサポート能力の指標情報要素を新規に設定する。ＵＥが多重搬送波をサポートする場合、当該表示情報要素を含むＲＲＣ  Ｃｏｎｎｅｃｔｉｏｎ  ＲｅｑｕｅｓｔメッセージをＲＮＣに送信する。
【００３４】
２、Ｒ８プロトコルにおけるＵＥの二重搬送波に対するサポート能力の情報要素の値を拡張する。拡張後の値は、ＵＥによりサポートされる多重搬送波の数についての能力を示することに用いられる。ＵＥが多重搬送波をサポートする場合、拡張された情報要素を含むＲＲＣ  Ｃｏｎｎｅｃｔｉｏｎ  ＲｅｑｕｅｓｔメッセージをＲＮＣに送信する。
【００３５】
３、ＨＳ−ＤＳＣＨ物理層カテゴリ（ｐｈｙｓｉｃａｌ  ｌａｙｅｒ  ｃａｔｅｇｏｒｙ）のレベルを拡張して、ＵＥの多重搬送波に対するサポート能力のレベルを追加する。ＵＥが多重搬送波をサポートする場合、拡張されたＨＳ−ＤＳＣＨ  ｐｈｙｓｉｃａｌ  ｌａｙｅｒ  ｃａｔｅｇｏｒｙを含む無線リソース制御接続確立完了（ＲＲＣ  Ｃｏｎｎｅｃｔｉｏｎ  Ｓｅｔｕｐ  Ｃｏｍｐｌｅｔｅ）メッセージ又はＵＥ機能情報（ＵＥ  Ｃａｐａｂｉｌｉｔｙ  Ｉｎｆｏｒｍａｔｉｏｎ）メッセージをＲＮＣに送信する。
【００３６】
４、アクセス層リリースインジケーター（Ａｃｃｅｓｓ  ｓｔｒａｔｕｍ  ｒｅｌｅａｓｅ  ｉｎｄｉｃａｔｏｒ）情報要素と、Ｒ８プロトコルにおけるＵＥの二重搬送波に対するサポート能力の情報要素とを用いて、ＵＥの多重搬送波に対するサポート能力を示す。ＵＥが多重搬送波をサポートする場合、Ａｃｃｅｓｓ  ｓｔｒａｔｕｍ  ｒｅｌｅａｓｅ  ｉｎｄｉｃａｔｏｒ情報要素と、Ｒ８プロトコルにおけるＵＥの二重搬送波に対するサポート能力の情報要素とを含むＲＲＣ  Ｃｏｎｎｅｃｔｉｏｎ  ＲｅｑｕｅｓｔメッセージをＲＮＣに送信する。前記Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  Ｒｅｑｕｅｓｔメッセージに、Ｒ８プロトコルにおけるＵＥの二重搬送波に対するサポート能力の情報要素が含まれる場合、ＵＥがダウンリンク二重搬送波に対するサポート能力を持つことを示す。前記Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、前記ＵＥがダウンリンク多重搬送波に対するサポート能力とアップリンク二重搬送波に対するサポート能力とを持つことを示す。ここで、ダウンリンク多重搬送波の数は、２つより大きい。
【００３７】
以下、具体的な実施形態を参照しながら、上記したＵＥの多重搬送波に対するサポート能力の情報の伝送方法を更に詳しく説明する。
【００３８】
本発明に係る第１実施形態では、ＲＲＣ  Ｃｏｎｎｅｃｔｉｏｎ  Ｒｅｑｕｅｓｔメッセージに、ＵＥの多重搬送波に対するサポート能力を示するための、ＵＥの多重搬送波に対するサポート能力の指標情報要素を新規に追加する。当該指標情報要素は多重搬送波サポート（Ｍｕｌｔｉ  Ｃａｒｒｉｅｒ  Ｓｕｐｐｏｒｔ）情報要素であってもよい。そのプロトコルが表１に示されている。
【００３９】
【表１】
2013517651.tif 000003
【００４０】
図１に示すように、ＵＥが多重搬送波に対するサポート能力を持つ場合、ＵＥは、その値がＴＲＵＥに設定されたＭｕｌｔｉ  Ｃａｒｒｉｅｒ  Ｓｕｐｐｏｒｔ情報要素を含むＲＲＣ  Ｃｏｎｎｅｃｔｉｏｎ  Ｒｅｑｕｅｓｔメッセージを生成する。そして、ＵＥは、ＲＲＣ  Ｃｏｎｎｅｃｔｉｏｎ  ＲｅｑｕｅｓｔメッセージをＲＮＣに送信する。ＲＮＣは、受信されたＲＲＣ  Ｃｏｎｎｅｃｔｉｏｎ  Ｒｅｑｕｅｓｔメッセージを解析し、そしてメッセージにおけるＭｕｌｔｉ  Ｃａｒｒｉｅｒ  Ｓｕｐｐｏｒｔ情報要素に応じて、メッセージを送信したＵＥが多重搬送波をサポートする能力を持つことを認識することができる。
【００４１】
本発明に係る第２実施形態では、ＲＲＣ  Ｃｏｎｎｅｃｔｉｏｎ  Ｒｅｑｕｅｓｔメッセージにおける、マルチセルに対するサポート（Ｍｕｌｔｉ  Ｃｅｌｌ  Ｓｕｐｐｏｒｔ）情報要素の値を拡張する。そして、Ｍｕｌｔｉ  Ｃｅｌｌ  Ｓｕｐｐｏｒｔ情報要素の拡張値を介して、ＵＥの多重搬送波に対するサポート能力を示す。Ｍｕｌｔｉ  Ｃｅｌｌ  Ｓｕｐｐｏｒｔ情報要素のプロトコルは、表２に示されている。
【００４２】
【表２】
2013517651.tif 000004
【００４３】
図２に示すように、ＵＥが多重搬送波に対するサポート能力を持つ場合、ＵＥは、Ｍｕｌｔｉ  Ｃｅｌｌ  Ｓｕｐｐｏｒｔ情報要素を含むＲＲＣ  Ｃｏｎｎｅｃｔｉｏｎ  Ｒｅｑｕｅｓｔメッセージを生成する。そしてＵＥは、ＲＲＣ  Ｃｏｎｎｅｃｔｉｏｎ  ＲｅｑｕｅｓｔメッセージをＲＮＣに送信する。ＵＥが二重搬送波に対するサポート能力を持つ場合、Ｍｕｌｔｉ  Ｃｅｌｌ  Ｓｕｐｐｏｒｔ情報要素の値がＤｕｌｅに設定される。ＵＥが３つの搬送波に対するサポート能力を持つ場合、Ｍｕｌｔｉ  Ｃｅｌｌ  Ｓｕｐｐｏｒｔ情報要素の値がＴｈｒｅｅに設定される。ＵＥが４つの搬送波に対するサポート能力を持つ場合、Ｍｕｌｔｉ  Ｃｅｌｌ  Ｓｕｐｐｏｒｔ情報要素の値がＦｏｕｒに設定される。同様に、ＵＥの多重搬送波に対するサポート能力は、Ｍｕｌｔｉ  Ｃｅｌｌ  Ｓｕｐｐｏｒｔ情報要素の拡張値によって示すことができる。ＲＮＣは、受信されたＲＲＣ  Ｃｏｎｎｅｃｔｉｏｎ  Ｒｅｑｕｅｓｔメッセージを解析し、且つメッセージにおけるＭｕｌｔｉ  Ｃｅｌｌ  Ｓｕｐｐｏｒｔ情報要素の値に応じて、メッセージを送信したＵＥの多重搬送波に対するサポート能力を認識することができる。
【００４４】
本発明に係る第３実施形態では、Ａｃｃｅｓｓ  ｓｔｒａｔｕｍ  ｒｅｌｅａｓｅ  ｉｎｄｉｃａｔｏｒ情報要素と、Ｒ８プロトコルにおけるＭｕｌｔｉ  Ｃｅｌｌ  Ｓｕｐｐｏｒｔ情報要素とを介して、ＵＥの多重搬送波に対するサポート能力を示す。Ｍｕｌｔｉ  Ｃｅｌｌ  Ｓｕｐｐｏｒｔ情報要素とＡｃｃｅｓｓ  ｓｔｒａｔｕｍ  ｒｅｌｅａｓｅ  ｉｎｄｉｃａｔｏｒ情報要素とのプロトコルは、表３に示されている。
【００４５】
【表３】
2013517651.tif 000005
【００４６】
図３に示すように、ＵＥが多重搬送波に対するサポート能力を持つ場合、ＵＥは、ＵＥによりＲＮＣに送信されるＲＲＣ  Ｃｏｎｎｅｃｔｉｏｎ  Ｒｅｑｕｅｓｔメッセージに含まれるＭｕｌｔｉ  Ｃｅｌｌ  Ｓｕｐｐｏｒｔ情報要素とＡｃｃｅｓｓ  ｓｔｒａｔｕｍ  ｒｅｌｅａｓｅ  ｉｎｄｉｃａｔｏｒ情報要素とを生成する。具体的には、Ａｃｃｅｓｓ  ｓｔｒａｔｕｍ  ｒｅｌｅａｓｅ  ｉｎｄｉｃａｔｏｒ情報要素の値がＲＥＬ−８であり、且つＲＲＣ  Ｃｏｎｎｅｃｔｉｏｎ  ＲｅｑｕｅｓｔメッセージにＭｕｌｔｉ  Ｃｅｌｌ  Ｓｕｐｐｏｒｔ情報要素（値がＴＲＵＥである）が含まれる場合、ＵＥがダウンリンク二重搬送波に対するサポート能力を持つことを示す。Ａｃｃｅｓｓ  ｓｔｒａｔｕｍ  ｒｅｌｅａｓｅ  ｉｎｄｉｃａｔｏｒ情報要素の値がＲＥＬ−１０であり、且つＲＲＣ  Ｃｏｎｎｅｃｔｉｏｎ  ＲｅｑｕｅｓｔメッセージにＭｕｌｔｉ  Ｃｅｌｌ  Ｓｕｐｐｏｒｔ情報要素（値がＴＲＵＥである）が含まれる場合、ＵＥがダウンリンク多重搬送波に対するサポート能力とアップリンク二重搬送波に対するサポート能力を持つことを示す。ここで、ダウンリンク多重搬送波の数は２つより大きい。
【００４７】
なお、本発明に係る第３実施形態では、ＵＥから送信されたＲＲＣ  Ｃｏｎｎｅｃｔｉｏｎ  Ｒｅｑｕｅｓｔメッセージに、Ａｃｃｅｓｓ  ｓｔｒａｔｕｍ  ｒｅｌｅａｓｅ  ｉｎｄｉｃａｔｏｒ情報要素のみが含まれており、Ｍｕｌｔｉ  Ｃｅｌｌ  Ｓｕｐｐｏｒｔ情報要素が含まれてない場合、ＲＮＣは、ＵＥが多重搬送波をサポートしていないと認識する。
【００４８】
本発明に係る第４実施形態では、ＨＳ−ＤＳＣＨ物理層カテゴリ（ｐｈｙｓｉｃａｌ  ｌａｙｅｒ  ｃａｔｅｇｏｒｙ）のレベルを拡張して、ＵＥの多重搬送波に対するサポート能力のレベル、例えばＵＥが４つの多重搬送波をサポートする能力レベルを追加する。図４に示すように、ＵＥが多重搬送波に対するサポート能力を持つ場合、ＵＥは、拡張されたＨＳ−ＤＳＣＨ  ｐｈｙｓｉｃａｌ  ｌａｙｅｒ  ｃａｔｅｇｏｒｙを含むＲＲＣ  Ｃｏｎｎｅｃｔｉｏｎ  Ｓｅｔｕｐ  Ｃｏｍｐｌｅｔｅメッセージを生成し、このメッセージをＲＮＣに送信する。ここで、ＨＳ−ＤＳＣＨ  ｐｈｙｓｉｃａｌ  ｌａｙｅｒ  ｃａｔｅｇｏｒｙの拡張レベルは、ＵＥの多重搬送波に対するサポート能力を示することに用いられる。ＨＳ−ＤＳＣＨ  ｐｈｙｓｉｃａｌ  ｌａｙｅｒ  ｃａｔｅｇｏｒｙの拡張とは、ｃａｔｅｇｏｒｙの値を増加することである。現在のＲ９プロトコルにおいて、ｃａｔｅｇｏｒｙの値が既に２８まで拡張されている。従って、本発明におけるｃａｔｅｇｏｒｙは、２８より大きい値が設定されて、ＵＥの多重搬送波に対するサポート能力が示される。
【００４９】
本発明に係る第５実施形態では、同様にＨＳ−ＤＳＣＨ  ｐｈｙｓｉｃａｌ  ｌａｙｅｒ  ｃａｔｅｇｏｒｙのレベルを拡張して、ＵＥの多重搬送波に対するサポート能力レベルを追加する。第４実施形態と異なる点は、ＵＥ  Ｃａｐａｂｉｌｉｔｙ  Ｉｎｆｏｒｍａｔｉｏｎメッセージを介して、ＵＥの多重搬送波に対するサポート能力をＲＮＣに通知するという点である。図５に示すように、ＵＥが多重搬送波に対するサポート能力を持つ場合、ＵＥは、拡張されたＨＳ−ＤＳＣＨ  ｐｈｙｓｉｃａｌ  ｌａｙｅｒ  ｃａｔｅｇｏｒｙを含むＵＥ  Ｃａｐａｂｉｌｉｔｙ  Ｉｎｆｏｒｍａｔｉｏｎメッセージを生成し、このメッセージをＲＮＣに送信する。ここで、ＨＳ−ＤＳＣＨ  ｐｈｙｓｉｃａｌ  ｌａｙｅｒ  ｃａｔｅｇｏｒｙの拡張レベルは、ＵＥの多重搬送波に対するサポート能力を示することに用いられる。具体的にどのように示すかについては、実施形態４に同じであるため、ここでは説明を省略する。
【００５０】
ＲＮＣがＵＥの多重搬送波に対するサポート能力の情報を取得した後、ＲＮＣは、ＵＥの多重搬送波に対するサポート能力に応じて、多重搬送波セルを利用してサービスを受信するかどうかを決定する。具体的な動作プロセスは、図６に示すように、主に以下のステップを含む。
【００５１】
ステップ６０１：ＲＮＣは、例えば、サービス品質（ＱｏＳ：Ｑｕａｌｉｔｙ  ｏｆ  Ｓｅｒｖｉｃｅ）属性や、ＵＥの多重搬送波に対するサポート能力、セル能力等の情報に応じて、サービスが多重搬送波に適用可能であるかどうかを判定する。サービスが多重搬送波をサポートすると判定された場合、ステップ６０２が実行される。
【００５２】
ここで、ＱｏＳ属性は、コアネットワーク（ＣＮ：Ｃｏｒｅ  Ｎｅｔｗｏｒｋ）がサービスコマンドを送信するときにＲＮＣに伝送するものである。また、セル能力は、ＲＮＣが、ノードＢ（ＮｏｄｅＢ）の検査応答により取得するものである。
【００５３】
ステップ６０２：ＲＮＣは、補助搬送波セル情報を含む無線リンク確立要求メッセージ又は無線リンク再構成要求メッセージを生成し、このメッセージをＮｏｄｅＢに送信する。
【００５４】
ステップ６０３：ＲＮＣは、補助搬送波セル情報を含む無線ベアラ確立メッセージ又は無線ベアラ再構成メッセージを生成し、このメッセージをＵＥに送信する。
【００５５】
上記したＵＥの多重搬送波に対するサポート能力の情報の伝送方法を実現するために、本発明は、ＵＥの多重搬送波に対するサポート能力の情報の伝送システムを更に提供する。この伝送システムは、ＵＥとＲＮＣとを含む。ＵＥは、多重搬送波をサポートする場合に、ＵＥ自身の多重搬送波に対するサポート能力の情報を含むメッセージをＲＮＣに送信する。ＲＮＣは、ＵＥからのメッセージを解析し、ＵＥの多重搬送波に対するサポート能力の情報を取得する。
【００５６】
ここで、ＵＥの多重搬送波に対するサポート能力の情報は、以下に示す幾つかの方法によって送信されるが、本発明は、これらの方法に限定されない。
【００５７】
１、ＲＲＣ  Ｃｏｎｎｅｃｔｉｏｎ  Ｒｅｑｕｅｓｔメッセージに、ＵＥの多重搬送波に対するサポート能力の指標情報要素を新規に設定する。ＵＥが多重搬送波をサポートする場合、ＵＥは、当該指標情報要素を含むＲＲＣ  Ｃｏｎｎｅｃｔｉｏｎ  ＲｅｑｕｅｓｔメッセージをＲＮＣに送信する。
【００５８】
２、Ｒ８プロトコルにおけるＵＥの二重搬送波に対するサポート能力の情報要素の値を拡張する。拡張後の値は、ＵＥによりサポートされる多重搬送波の数についての能力を示すことに用いられる。ＵＥが多重搬送波をサポートする場合、ＵＥは、拡張された情報要素を含むＲＲＣ  Ｃｏｎｎｅｃｔｉｏｎ  ＲｅｑｕｅｓｔメッセージをＲＮＣに送信する。
【００５９】
３、ＨＳ−ＤＳＣＨ  ｐｈｙｓｉｃａｌ  ｌａｙｅｒ  ｃａｔｅｇｏｒｙのレベルを拡張して、ＵＥの多重搬送波に対するサポート能力レベルを追加する。ＵＥが多重搬送波をサポートする場合、ＵＥは、拡張されたＨＳ−ＤＳＣＨ  ｐｈｙｓｉｃａｌ  ｌａｙｅｒ  ｃａｔｅｇｏｒｙを含むＲＲＣ  Ｃｏｎｎｅｃｔｉｏｎ  Ｓｅｔｕｐ  Ｃｏｍｐｌｅｔｅメッセージ又はＵＥ  Ｃａｐａｂｉｌｉｔｙ  ＩｎｆｏｒｍａｔｉｏｎメッセージをＲＮＣに送信する。
【００６０】
４、Ａｃｃｅｓｓ  ｓｔｒａｔｕｍ  ｒｅｌｅａｓｅ  ｉｎｄｉｃａｔｏｒ情報要素とＲ８プロトコルにおけるＵＥの二重搬送波に対するサポート能力の情報要素とを用いて、ＵＥの多重搬送波に対するサポート能力を示す。ＵＥが多重搬送波に対するサポート能力を持つ場合、ＵＥは、Ａｃｃｅｓｓ  ｓｔｒａｔｕｍ  ｒｅｌｅａｓｅ  ｉｎｄｉｃａｔｏｒ情報要素とＲ８プロトコルにおけるＵＥの二重搬送波に対するサポート能力の情報要素とを含むＲＲＣ  Ｃｏｎｎｅｃｔｉｏｎ  ＲｅｑｕｅｓｔメッセージをＲＮＣに送信する。Ａｃｃｅｓｓ  ｓｔｒａｔｕｍ  ｒｅｌｅａｓｅ  ｉｎｄｉｃａｔｏｒ情報要素の値がＲ８であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、ＵＥがダウンリンク二重搬送波に対するサポート能力を持つことを示す。Ａｃｃｅｓｓ  ｓｔｒａｔｕｍ  ｒｅｌｅａｓｅ  ｉｎｄｉｃａｔｏｒ情報要素の値がＲ１０であり、且つＲＲＣ  Ｃｏｎｎｅｃｔｉｏｎ  ＲｅｑｕｅｓｔメッセージにＲ８プロトコルにおけるＵＥの二重搬送波に対するサポート能力の情報要素が含まれる場合、ＵＥがダウンリンク多重搬送波に対するサポート能力とアップリンク二重搬送波に対するサポート能力を持つことを示す。ここで、ダウンリンク多重搬送波の数は、２つより大きい。
【００６１】
また、ＲＮＣは、更に、ＵＥの多重搬送波に対するサポート能力の情報を取得した後、サービスのＱｏＳ属性、ＵＥの多重搬送波に対するサポート能力及びセル能力に応じて、多重搬送波セルを利用してサービスを受信するかどうかを判定する。
【００６２】
具体的には、ＲＮＣが、ＱｏＳ属性、ＵＥの多重搬送波に対するサポート能力及びセル能力に応じて、サービスが多重搬送波をサポートすると判定した場合、ＲＮＣは、ＮｏｄｅＢに送信される無線リンク確立要求メッセージ又は無線リンク再構成要求メッセージに補助搬送波セル情報を含ませる。また、ＲＮＣは、ＵＥに送信される無線ベアラ確立メッセージ又は無線ベアラ再構成メッセージに補助搬送波セル情報をませる。
【００６３】
以上説明したように、本発明に係る方法及びシステムによれば、ネットワーク側が、ＵＥの多重搬送波に対するサポート能力を認識することができる。そして、ＵＥの多重搬送波に対するサポート能力に応じて、多重搬送波セルを利用してサービスを受信するかどうかを決定し、これにより、リソースを合理的に割り当てることができる。
【００６４】
以上の説明は、本発明の好適な実施形態に過ぎず、本発明の保護範囲を限定するものではない。
【図１】
2013517651.tif 000006
【図２】
2013517651.tif 000007
【図３】
2013517651.tif 000008
【図４】
2013517651.tif 000009
【図５】
2013517651.tif 000010
【図６】
2013517651.tif 000011
【手続補正書】
【提出日】平成24年9月18日(2012.9.18)
【手続補正１】
【補正対象書類名】明細書
【補正対象項目名】０００５
【補正方法】変更
【補正の内容】
【０００５】
ＨＳ−ＤＰＣＣＨの設計において、１０ビットデータがＨＡＲＱ−ＡＣＫ情報を搬送することに用いられ、また２０ビットデータがＣＱＩ情報を搬送することに用いられる。各ＵＥは、それぞれの異なる能力に応じて、ある特定のカテゴリ（ＵＥ  Ｃａｔｅｇｏｒｙ）に属している。ＵＥカテゴリに対応するＣＱＩ表は、３１項目を有している。この３１項目は、５ビットデータで示され、２０ビットで符号化され、ＨＳ−ＤＰＣＣＨのＣＱＩビットフィールドにマッピングされる。ＨＡＲＱにはＡＣＫ／ＮＡＣＫという２種類の情況が存在し、これらは、それぞれ、データブロックを正確に受信したこと及び受信したデータブロックにエラーが存在することを示す。ＡＣＫ／ＮＡＣＫは、特定のコードブックを介して１０ビットに符号化され、その後、ＨＳ−ＤＰＣＣＨのＨＡＲＱ−ＡＣＫビットフィールドにマッピングされる。
【手続補正２】
【補正対象書類名】明細書
【補正対象項目名】０００６
【補正方法】変更
【補正の内容】
【０００６】
後に、３ＧＰＰは、ＨＳＤＰＡに基づいて、複数の側面から強化を行った。マルチ入力マルチ出力（ＭＩＭＯ：Ｍｕｌｔｉｐｌｅ−Ｉｎｐｕｔ  Ｍｕｌｔｉｐｌｅ−Ｏｕｔｐｕｔ）アンテナ技術は、無線チャネルの伝送帯域幅を広げる方法の一つである。３ＧＰＰによりＲｅｌ−７においてＭＩＭＯ技術が採用され、２ｍｓの伝送時間間隔（ＴＴＩ：Ｔｒａｎｓｍｉｓｓｉｏｎ  Ｔｉｍｅ  Ｉｎｔｅｒｖａｌ）内において、最大で２つの伝送ブロック（主伝送ブロック及び補助伝送ブロック）を同一のＵＥに同時に伝送することが許容された。ＭＩＭＯ技術をサポートするために、送信側は、データを変調して、２本のインコヒーレントなアンテナから同時にデータを送信する必要があり、受信側は、２本のインコヒーレントなアンテナからデータを同時に受信して、データの復調を行う必要がある。ＨＳＤＰＡと共通する点は、ＵＥがＨＳ−ＤＳＣＨデータを受信した後、同様にＨＡＲＱ−ＡＣＫとＣＱＩをフィードバックする必要がある点である。一方で、ＨＳＤＰＡと異なる点は、ＵＥが同時に受信された２つのＨＳ−ＤＳＣＨ伝送ブロックに対してそれぞれＨＡＲＱ−ＡＣＫをフィードバックする必要がある点と、ＣＱＩがＣＱＩ１とＣＱＩ２で示される２つの空間分割チャネルに対応する点である。さらに、伝送ブロックのサイズを最大化するために、ＵＥが閉ループＭＩＭＯによって要求されたアンテナアレイ重み値、即ちプリコーディグ重み値をフィードバックする必要もある。プリコーディグ重み値には、ｗ１、ｗ２、ｗ３及びｗ４という４つのプリコーディグ重み値が存在する。（ｗ１、ｗ２）は、主伝送ブロックのデータに重みを付けるための主プリコーディングベクトルを構成する。（ｗ３、ｗ４）は、補助伝送ブロックのデータに重みを付けるための補助プリコーディングベクトルを構成する。主プリコーディングベクトルは、主伝送ブロックを伝送することに用いられ、補助プリコーディングベクトルは、補助伝送ブロックを伝送することに用いられる。４つのプリコーディグ重み値では、ｗ１とｗ３は固定値であり、ｗ２とｗ４は固定的なシンボル関係を有している。それ故、ＵＥは、プリコーディグ重み値ｗ２のみをフィードバックする必要があり、これがプリコーディング制御インジケータ（ＰＣＩ：Ｐｒｅｃｏｄｉｎｇ  Ｃｏｎｔｒｏｌ  Ｉｎｄｉｃａｔｏｒ）によって実現される。ｗ２は４つの数値のうちの１つであってもよく、このため、ＰＣＩは２ビットデータである。ＭＩＭＯの場合、新たなＣＱＩ表が用いられ、各特定のＵＥカテゴリに対応するＣＱＩ表は、４ビットデータで表される１５項目を含む。従って、ＣＱＩ１及びＣＱＩ２は、全体で８ビットを要する。従って、ＰＣＩ及びＣＱＩは、合計で１０ビットのデータであり、２０ビットに符号化されて、ＨＳ−ＤＰＣＣＨのＣＱＩ／ＰＣＩビットフィールド（即ち元のＣＱＩビットフィールド）にマッピングされる。ＨＡＲＱでは、単流と双流の場合におけるＡＣＫ／ＮＡＣＫの６種類の情況についての組み合わせを考える必要があり、ＡＣＫ／ＮＡＣＫは、特定のコードブックを介して１０ビットに符号化され、ＨＳ−ＤＰＣＣＨのＨＡＲＱ−ＡＣＫビットフィールドにマッピングされる。
【手続補正３】
【補正対象書類名】明細書
【補正対象項目名】０００７
【補正方法】変更
【補正の内容】
【０００７】
ＭＩＭＯ技術は、送信側と受信側の両方のアンテナ数を増加することで帯域幅を広げている。ＭＩＭＯ技術を用いなければ、搬送波を増加する方法により帯域幅を広げることも可能である。ダウンリンク帯域幅を更に広げるために、３ＧＰＰにより、Ｒｅｌ−８において二重搬送波ＨＳＤＰＡ技術（ＤＣ−ＨＳＤＰＡ）が導入され、２つの隣接する搬送波（主搬送波と補助搬送波）を利用してダウンリンク帯域幅が広げられた。主搬送波と補助搬送波は、共にＨＳ−ＰＤＳＣＨとＨＳ−ＳＣＣＨにそれぞれ設定され、また、主搬送波と補助搬送波は、独立にスケジューリングされる。ＤＣ−ＨＳＤＰＡを受信する能力を持つＵＥは、主搬送波と補助搬送波との両方でＨＳＤＰＡデータを受信することができる。単一搬送波ＨＳＤＰＡと共通する点は、ＵＥがＨＳ−ＤＳＣＨデータを受信した後、ＨＡＲＱ−ＡＣＫとＣＱＩをフィードバックする必要がある点である。一方で、単一搬送波ＨＳＤＰＡと異なる点は、ＵＥが、２つの搬送波で同時に受信された２つのＨＳ−ＤＳＣＨ伝送ブロックに対してそれぞれＨＡＲＱ−ＡＣＫをフィードバックする必要があり点と、ＣＱＩがＣＱＩ１とＣＱＩ２で示される２つの搬送波に対応している点である。各ＣＱＩに対応するＣＱＩ表は、５ビットデータで表される３１項目であり、ＣＱＩ１とＣＱＩ２は、全体で１０ビットデータであり、２０ビットデータに符号化されて、ＨＳ−ＤＰＣＣＨのＣＱＩビットフィールドにマッピングされる。ＨＡＲＱに対して、単一搬送波と多重搬送波の場合におけるＡＣＫ／ＮＡＣＫの８種類の情況についての組み合わせを考える必要があり、ＡＣＫ／ＮＡＣＫは、特定のコードブックを介して１０ビットに符号化され、ＨＳ−ＤＰＣＣＨのＨＡＲＱ−ＡＣＫビットフィールドにマッピングされる。
【国際調査報告】
2013517651.tif 000012
2013517651.tif 000013
2013517651.tif 000014
2013517651.tif 000015
2013517651.tif 000016
2013517651.tif 000017